【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
会場を監視するシステムであって、
第１の複数のサブキャリアを使用する第１のチャネルを介して送信された第１の無線信号から導出された第１のチャネル状態情報と、第２の複数のサブキャリアを使用する第２のチャネルを介して送信された第２の無線信号から導出された第２のチャネル状態情報との組み合わせ、又は前記第１のチャネル状態情報と前記第２のチャネル状態情報との前記組み合わせから導出された第１の情報、を格納するように構成された記憶装置と、
前記第１のチャネルを介して送信された第３の無線信号及び前記第２のチャネルを介して送信された第４の無線信号を受信するように構成された受信機と、
データプロセッサと、を備え、当該データプロセッサは、
前記受信された第３の無線信号に基づいて第３のチャネル状態情報を判定し、
前記受信された第４の無線信号に基づいて第４のチャネル状態情報を判定し、
（ｉ）前記第３及び第４のチャネル状態情報の組み合わせと、前記第１及び第２のチャネル状態情報についての前記格納された組み合わせとの比較、又は（ｉｉ）前記第３及び第４のチャネル状態情報の組み合わせから導出された第２の情報と、前記格納された第１の情報との比較、の少なくとも１つを実行し、
前記比較に基づいて、前記会場内の物体の配置に関する情報を判定し、
物体の前記配置に関する前記判定された情報に基づいて出力を生成する
ように構成されている、システム。
【請求項２】
請求項１に記載のシステムであって、前記第１及び第２のチャネルは、オーバラップしない異なる周波数帯域を占有する、システム。
【請求項３】
請求項１に記載のシステムであって、前記第１及び第２のチャネルは、オーバラップする周波数帯域を有し、前記第１及び第２のチャネルは、それぞれ、５０ＭＨｚより狭い帯域幅を有し、前記第１及び第２のチャネルの組み合わせは、５０ＭＨｚより広い帯域に及ぶ、システム。
【請求項４】
請求項１から３のいずれかに記載のシステムであって、前記第１、第２、第３及び第４の無線信号は、ＩＥＥＥ８０２．１１規格に準拠している、システム。
【請求項５】
請求項１から４のいずれかに記載のシステムであって、前記システムは、移動電話、ネットワークルータ、ネットワークアクセスポイント、煙探知器、ノートブックコンピュータ、デスクトップコンピュータ、タブレットコンピュータ、照明装置、電化製品、ロボット、テレビ、ラジオ、オーディオ装置、ビデオ装置、カメラ、ビデオカメラ又はプロジェクタのうちの少なくとも１つを含む、システム。
【請求項６】
請求項１から５のいずれかに記載のシステムであって、前記第１及び第２の無線信号は、１つ以上のアンテナの第１のセットから送信され、前記第１及び第２の無線信号は、１つ以上のアンテナの前記第１のセットとは異なる１つ以上のアンテナの第２のセットで受信される、システム。
【請求項７】
請求項１から６のいずれかに記載のシステムであって、扉又は窓の少なくとも１つの位置の変化を検出するように構成されている、システム。
【請求項８】
請求項１から７のいずれかに記載のシステムであって、前記記憶装置は、チャネル状態情報のレコードを格納するように構成されており、各レコードは、（ｉ）各チャネルが複数のサブキャリアを使用するＮ１個のチャネルを介して送信されたＮ１個の無線信号から導出された、Ｎ１個のチャネル状態情報、又は（ｉｉ）前記Ｎ１個のチャネル状態情報から導出された情報、の少なくとも一方を含み、Ｎ１は３以上であり、
前記受信機は、前記Ｎ１個のチャネルを介して送信されたＮ１個の無線信号を受信するように構成されており、
前記データプロセッサは、
前記受信されたＮ１個の無線信号に基づいて、Ｎ１個のチャネル状態情報を判定し、
（ｉ）前記判定されたＮ１個のチャネル状態情報の組み合わせと、前記格納されたレコードとの比較、又は（ｉｉ）前記判定されたＮ１個のチャネル状態情報から導出された情報と、前記格納されたレコードとの比較、の少なくとも１つを実行し、
前記比較に基づいて、前記会場内の物体の配置に関する情報を判定する
ように構成されている、システム。
【請求項９】
請求項８に記載のシステムであって、Ｎ１個のチャネルの前記組み合わせは、５０ＭＨｚより広い帯域に及ぶ、システム。
【請求項１０】
システムであって、
全体で５０ＭＨｚより広い帯域に及ぶ少なくとも１つの無線チャネルを介して送信される少なくとも２つの無線信号の第１のセットを受信するように構成された受信機と、
データプロセッサと、を備え、当該データプロセッサは、
少なくとも２つの無線信号の前記第１のセットに基づいて、第１の複合チャネル応答を判定し、
前記第１の複合チャネル応答と、物体の第１のロケーション又は第１の配置とを関連付け、
前記第１の複合チャネル応答と、物体の前記第１のロケーション又は前記第１の配置に関する情報とをローカル記憶装置に格納するか、あるいは、前記第１の複合チャネル応答と物体の前記第１のロケーション又は前記第１の配置に関する情報とをリモート記憶装置に格納するために提供する
ように構成されている、システム。
【請求項１１】
請求項１０に記載のシステムであって、前記受信機は、全体で５０ＭＨｚより広い帯域に及ぶ少なくとも１つの無線チャネルを介して送信される少なくとも２つの無線信号の第２のセットを受信するように構成されており、前記データプロセッサは、
少なくとも２つの無線信号の前記第２のセットに基づいて、第２の複合チャネル応答を判定し、
前記ローカル記憶装置又は前記リモート記憶装置から前記第１の複合チャネル応答を検索し、
前記第２の複合チャネル応答と前記第１の複合チャネル応答とを比較し、
前記第２の複合チャネル応答が前記第１の複合チャネル応答と合致する場合に出力を生成する
ように構成されている、システム。
【請求項１２】
請求項１０又は１１に記載のシステムであって、少なくとも２つの無線信号の前記第１のセットは、無線ネットワークルータ又は無線ネットワークアクセスポイントの少なくとも１つから送出される、システム。
【請求項１３】
請求項１２に記載のシステムであって、前記受信機は、前記無線ネットワークルータ又はアクセスポイントにより提供される無線ネットワークに加わることなく、少なくとも２つの無線信号の前記第１のセットを受信する、システム。
【請求項１４】
請求項１０から１３のいずれかに記載のシステムであって、前記データプロセッサは、物体の前記第１のロケーション又は前記第１の配置に関する情報をユーザが提供できるようにするための、ユーザインタフェースを提供するように構成されている、システム。
【請求項１５】
請求項１４に記載のシステムであって、前記ユーザインタフェースは、地図を表示して前記ユーザが当該地図上でロケーションを示せるようにし、前記データプロセッサは、前記ユーザにより示された前記ロケーションと前記第１の複合チャネル応答とを関連付けるように構成されている、システム。
【請求項１６】
請求項１０から１５のいずれかに記載のシステムであって、前記データプロセッサは、少なくとも２つの無線信号の前記第１のセットを送信する装置の第１の識別子を判定し、前記第１の複合チャネル応答と前記第１の識別子とを関連付け、前記第１の複合チャネル応答と共に前記第１の識別子を前記ローカル記憶装置又は前記リモート記憶装置に格納するように構成されている、システム。
【請求項１７】
システムであって、
全体で５０ＭＨｚより広い帯域に及ぶ少なくとも１つの無線チャネルを介して送信される２つ以上の無線信号の第１のセットを受信するように構成された受信機と、
データプロセッサと、を備え、当該データプロセッサは、
少なくとも２つの無線信号の前記第１のセットに基づいて、第１の複合チャネル応答を判定し、
前記第１の複合チャネル応答と少なくとも１つの事前格納済み複合チャネル応答とを比較し、
前記比較に基づいて、物体のロケーション又は配置に関する情報を判定する
ように構成されている、システム。
【請求項１８】
請求項１７に記載のシステムであって、前記第１の複合チャネル応答と事前格納済み複合チャネル応答とを比較することは、前記第１の複合チャネル応答と事前格納済み複合チャネル応答とに基づいて時間反転共振強度を判定することを含む、システム。
【請求項１９】
請求項１７又は１８に記載のシステムであって、前記少なくとも１つの事前格納済み複合チャネル応答は、ローカル記憶装置又はリモート記憶装置の少なくとも１つに格納されている、システム。
【請求項２０】
請求項１７から１９のいずれかに記載のシステムであって、前記データプロセッサは、少なくとも２つの無線信号の前記第１のセットを送信する送信機の識別子を判定し、当該識別子に関連付けられた少なくとも１つの事前格納済み複合チャネル応答を検索するように構成されており、
前記第１の複合チャネル応答と前記少なくとも１つの事前格納済み複合チャネル応答とを比較することは、前記第１の複合チャネル応答と前記送信機の前記識別子に関連付けられた前記少なくとも１つの事前格納済みチャネル状態情報とを比較することを含む、システム。